(57)【要約】【課題】本発明の課題は、基地局に対応した電話機をグループ通話に参加させることにより、非常呼出による緊急事態に対する対処をより迅速かつ的確に行い得る無線通信システムを提供することにある。【解決手段】本発明は、複数の携帯機１００〜ｎをグループ分けして登録した第１のテーブルと、電話機５００〜５０Ｎを基地局１〜Ｎに対応付けて登録した第２のテーブルとを有し、携帯機１００〜ｎのいずれかから非常呼出があったとき、前記第１のテーブルから当該携帯機が含まれるグループを検索すると共に、前記第２のテーブルから当該携帯機が位置登録している基地局に対応する電話機を検索し、検索したグループに検索した電話機を加えてグループ通話を実行することを特徴とするものである。【選択図】図１
2010028214.tif 000002
【特許請求の範囲】
【請求項１】
複数の基地局と、
前記基地局のいずれかに対して定期的に位置登録を行いつつ無線通信する複数の携帯機と、
前記基地局を統制制御する制御装置と、
前記基地局のカバーするエリア内に位置する電話機と、
を備え、
前記制御装置は、
前記複数の携帯機をグループ分けして登録した第１のテーブルと、
前記電話機を前記基地局に対応付けて登録した第２のテーブルと、
を有し、
前記携帯機のいずれかから非常呼出があったとき、前記第１のテーブルから当該携帯機が含まれるグループを検索すると共に、前記第２のテーブルから当該携帯機が位置登録している基地局に対応する電話機を検索し、検索したグループに検索した電話機を加えてグループ通話を実行することを特徴とする無線通信システム。
【発明の詳細な説明】
【技術分野】
【０００１】
本発明は、携帯機のいずれかから非常呼出があったとき、基地局のカバーするエリア内に位置する電話機を含めてグループ通話を実行する無線通信システムに関するものである。
【背景技術】
【０００２】
通常、例えばＰＨＳ（Ｐｅｒｓｏｎａｌ  Ｈａｎｄｙ−ｐｈｏｎｅ  Ｓｙｓｔｅｍ）、携帯電話機等の携帯機の非常呼出の機能は、携帯機の使用者が非常事態になった可能性が高い事を知らせるものである。
【０００３】
よって、場合によってはグループ通話に登録されているメンバー以外で非常事態に対応できる人を呼び出したい。
【０００４】
ところが、呼び出すグループ通話のメンバー（呼出番号）を制御装置のメモリに登録しそのメンバーに対し、呼出を行うため、グループ通話のメンバー以外で非常事態に対応できる人を呼び出すことができなかった。
【０００５】
また、携帯機の呼び出しは、グループ毎に割り当てられたグループ通話の識別番号であるグループ特番により行うため、グループ通話のメンバー以外で非常事態に対応できる人を呼び出すことができなかった。
【０００６】
さらに、グループ通話の１グループに登録するメンバー数及びそのグループ数は通常メモリや呼出処理能力により制限があるため、非常事態に対応できる人を登録できないことがあった。
【０００７】
また、従来の異常通報システムとして、回線制御装置が携帯機からの異常の報告を受けて、携帯機からの音声を録音装置に録音させ、携帯機が存在するゾーン内に存在する他の携帯機や固定電話機を呼び出して携帯機からの音声を出力すると共に、予め、グループ通話形態が設定されている場合、グループ通話を設定するものがある（例えば、特許文献１参照。）が、この異常通報システムではゾーン内の固定電話機はグループ通話に含まれないため、相互の連絡はできない。
【特許文献１】特開２００２-０７４５６４号公報
【発明の開示】
【発明が解決しようとする課題】
【０００８】
本発明は上記の事情に鑑みてなされたもので、基地局のカバーするエリア内に位置する電話機をグループ通話に参加させることにより、非常呼出による緊急事態に対する対処をより迅速かつ的確に行い得る無線通信システムを提供することを目的とする。
【課題を解決するための手段】
【０００９】
上記目的を達成するために本発明の無線通信システムは、複数の基地局と、前記基地局のいずれかに対して定期的に位置登録を行いつつ無線通信する複数の携帯機と、前記基地局を統制制御する制御装置と、前記基地局のカバーするエリア内に位置する電話機とを備え、前記制御装置は、前記複数の携帯機をグループ分けして登録した第１のテーブルと、前記電話機を前記基地局に対応付けて登録した第２のテーブルとを有し、前記携帯機のいずれかから非常呼出があったとき、前記第１のテーブルから当該携帯機が含まれるグループを検索すると共に、前記第２のテーブルから当該携帯機が位置登録している基地局に対応する電話機を検索し、検索したグループに検索した電話機を加えてグループ通話を実行することを特徴とするものである。
【発明の効果】
【００１０】
本発明の無線通信システムは、携帯機が位置登録をした基地局のカバーするエリア内に位置する電話機をグループ通話に参加させることができるため、非常呼出をした携帯機の近くにいる人も呼び出すことができ、緊急事態に対する対処をより迅速かつ的確に行うことができる。
【発明を実施するための最良の形態】
【００１１】
以下図面を参照して本発明の実施の形態を詳細に説明する。
【００１２】
図１は本発明の実施形態に係る無線通信システムを示す構成説明図である。図１に示すように、複数の基地局１……Ｎ（Ｎは正の整数）は制御装置１１に接続され、前記制御装置１１には基地局１……Ｎをカバーするエリア内に位置する複数の電話機５００……５０Ｎが接続される。１００，１０１……ｎ（ｎは１０２以上の正の整数）は例えばＰＨＳ、携帯電話機等の携帯機であり、各携帯機１００，１０１……ｎは基地局１……Ｎのいずれかに対して定期的に位置登録を行いつつ無線通信する。１２は携帯機の所在位置を映像上で表示する例えばパソコン等の位置表示端末である。
【００１３】
前記制御装置１１は基地局１……Ｎを統制制御するもので、回線制御部１３、メモリ１４、会議トランク１５等より構成される。前記会議トランク１５は、複数の携帯機１００，１０１……ｎ及び複数の電話機５００……５０Ｎが同時に通話する多者同時通話に用いるものであり、複数の送受話ポートを備え、各送受話ポートに複数の携帯機１００，１０１……ｎ及び複数の電話機５００……５０Ｎを割り当て、回線制御部１３からの指示に従って同一グループに指定された受話ポートから入力された全ての音声を合成し、各々の送話ポートに出力するものである。合成音声を出力する際は、送出先の携帯機１００，１０１……ｎ及び電話機５００……５０Ｎからの入力音声を除いた合成音声を出力する。
【００１４】
また、前記制御装置１１のメモリ１４には複数の携帯機１００，１０１……ｎをグループ分けして登録した第１のテーブル、及び複数の電話機５００……５０Ｎを各基地局１……Ｎにそれぞれ対応付けて登録した第２のテーブルが設けられる。
【００１５】
図２は本発明の実施形態に係る第１のテーブルの一例を示す構成説明図である。図２に示すように、グループ通話の識別番号である例えば会議（グループ通話）呼出グループ番号９００には、グループを構成する複数の携帯機１００，１０１……の登録番号１００，１０１……及び非常呼出する携帯機が位置登録する基地局が登録されている。
【００１６】
図３は本発明の実施形態に係る第２のテーブルの一例を示す構成説明図である。図３に示すように、基地局１の基地局呼出番号１に対応して基地局１に近い場所等の基地局１のカバーするエリア内に位置する電話機５００，５０１が登録され、基地局Ｎの基地局呼出番号Ｎに対応して基地局Ｎに近い場所等の基地局Ｎのカバーするエリア内に位置する電話機５１０，５２０，５０Ｎが登録される。
【００１７】
すなわち、複数の携帯機１００，１０１……のいずれかから、携帯電話の使用者が非常事態になった事を知らせる非常呼出機能による非常呼出があったとき、制御装置１１の回線制御部１３からの指示に従って、前記第１のテーブルから非常呼出があった携帯機が含まれるグループ通話呼出グループ番号を検索すると共に、前記第２のテーブルから非常呼出があった携帯機が位置登録している基地局の基地局呼出番号を検索し、検索したグループ通話呼出グループ番号に登録された携帯機に、検索した基地局呼出番号に対応する電話機を加えて、制御装置１１の会議トランク１５の送受話ポートに接続してグループ通話を実行する。
【００１８】
例えば、図１に示すように、携帯機１００より、制御装置内のメモリに登録されているグループ通話呼出グループ番号９００を基地局１経由で呼び出しをした場合、グループ通話呼出グループ番号９００のグループに登録されている登録番号１００、１０１……の携帯機１００、１０１……及び基地局１の基地局呼出番号１に対比登録されている登録番号５００、５０１……の電話機５００、５０１……を呼び出してグループ通話を実行する。仮に、基地局呼出番号に対比して基地局がカバーするエリアの消防所や防災センターにある電話機の電話番号等を登録しておけば非常時に、近くの消防所や防災センターに意識をしなくても呼び出しをすることが出来る。
【００１９】
尚、上記実施形態では、携帯機の特殊ボタンを押下して、グループ通話呼出グループ番号９００を呼出す場合について説明したが、これに限らず、例えば携帯機の傾きを検出してグループ通話呼出グループ番号を呼出すようにしてもよく、この場合には、携帯機の所在位置を位置表示端末１２に表示することができる。前記携帯機には携帯機が傾いても発呼しないようにする機能を設けることができる。特に、携帯機の傾きで発呼するものは、工場内の構内で危険な作業をする場合に有効である。
【００２０】
また、他の実施形態として、携帯機のいずれかから非常呼出があったとき、前記第１のテーブルから当該携帯機が含まれるグループを検索すると共に、前記第２のテーブルから当該携帯機が位置登録している基地局に対応する電話機を検索し、検索したグループに検索した電話機を加えてグループ通話を実行する際、非常呼出があった携帯機が位置登録を行った基地局に、位置登録した他の携帯機を加えてグループ通話を実行するようにしてもよい。
【００２１】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００２２】
【図１】本発明の実施形態に係る無線通信システムを示す構成説明図である。
【図２】本発明の実施形態に係る第１のテーブルの一例を示す構成説明図である。
【図３】本発明の実施形態に係る第２のテーブルの一例を示す構成説明図である。
【符号の説明】
【００２３】
１〜Ｎ…基地局、１１…制御装置、１２…位置表示端末、１３…回線制御部、１４…メモリ、１５…会議トランク、１００〜ｎ…携帯機、５００〜５０Ｎ…電話機。
【図１】
2010028214.tif 000003
【図２】
2010028214.tif 000004
【図３】
2010028214.tif 000005